(57)【要約】【課題】  高圧活線に対するクランプ式電流計の取り付け又は取り外し作業を一人の作業者によって一の保持具のみで安全且つ容易に行う。【解決手段】  ばね力によって閉じた状態に向けて付勢されるクランプ部を備え、閉じた状態の前記クランプ部に囲繞された高圧活線に流れる電流により、前記クランプ部に誘起される磁場に基づいて電流測定を行うクランプ式電流計を、前記高圧活線に取り付け又は取り外しするクランプ式電流計の保持具において、前記クランプ式電流計を収納する側の面が開口した絶縁容器と、前記クランプ部に挟み込まれることにより前記高圧活線の径以上の空隙を生じさせ、且つ前記高圧活線に押し当てられることにより取り外されるスペーサと、前記絶縁容器を支持する絶縁操作棒と、を備える。【選択図】図２
2009118586.tif 000002
【特許請求の範囲】
【請求項１】
ばね力によって閉じた状態に向けて付勢されるクランプ部を備え、閉じた状態の前記クランプ部に囲繞された高圧活線に流れる電流により、前記クランプ部に誘起される磁場に基づいて電流測定を行うクランプ式電流計を、前記高圧活線に取り付け又は取り外しするクランプ式電流計の保持具において、
前記クランプ式電流計を収納する側の面が開口した絶縁容器と、
前記クランプ部に挟み込まれることにより前記高圧活線の径以上の空隙を生じさせ、且つ前記高圧活線に押し当てられることにより取り外されるスペーサと、
前記絶縁容器を支持する絶縁操作棒と、
を備えたことを特徴とするクランプ式電流計の保持具。
【請求項２】
前記スペーサは、その側面が半月形状に加工された絶縁板であり、当該半月形状の開口部が前記高圧活線の径以上に設定されること、を特徴とする請求項１に記載のクランプ式電流計の保持具。
【請求項３】
前記クランプ式電流計は、前記クランプ部を開閉させるハンドル部と、前記ハンドル部の下に設けられる摺動溝並びに当該摺動溝に沿って摺動可能な突起状の摺動部から成り、当該摺動部が当該摺動溝に沿って当該ハンドル部の下部まで摺動したとき前記クランプ部を閉じた状態に固定するロック機構と、を備えており、
前記絶縁容器の側面に固着され、当該絶縁容器に前記クランプ式電流計を保持した際にその先端が前記摺動部の下部に接しており、前記スペーサが取り外された後に前記高圧活線に対して前記絶縁容器が近づくように前記絶縁操作棒が操作されることで前記摺動部を前記ハンドル部の下部まで摺動させるロック板を備えたこと、
を特徴とする請求項１に記載のクランプ式電流計の保持具。
【請求項４】
前記ロック板を取り付けた前記絶縁容器の側面とは反対側の側面に固着され、その先端を折り曲げ加工し、前記絶縁容器に前記クランプ式電流計を保持した際に当該先端が前記摺動部の突起部に引っ掛かり、前記高圧活線に対して前記絶縁容器が遠ざかるように前記操作棒が操作されることで、前記摺動部を前記ハンドル部の下部から遠ざかる方向に移動させるロック解除板を備えたこと、を特徴とする請求項３に記載のクランプ式電流計の保持具。
【発明の詳細な説明】
【技術分野】
【０００１】
本発明は、クランプ式電流計の保持具に関する。
【背景技術】
【０００２】
電線中の通過電流を無停電で計測して記録する電流計として、ＣＴ（Ｃｕｒｒｅｎｔ  Ｔｒａｎｓｆｏｒｍｅｒ）クランプ式電流計が知られている。当該クランプ式電流計は、電線をその軸線と交差するように取り囲み、当該電線の通過電流に応じた磁場を発生させるべく、ばね力によって閉じた状態に向けて付勢される開閉可能なＣＴクランプを備えている。また、当該クランプ式電流計は、当該ＣＴクランプにより電線を取り囲んだ状態で、当該ＣＴクランプ内で発生した磁場の強度に基づいて、当該電線に流れる電流を計測する。
【０００３】
ところで、高圧活線に対するクランプ式電流計の取り付け作業又は取り外し作業は間接活線工法によって行われる。尚、間接活線工法とは、間接活線工具を用いて高圧活線を直接触れずに行う作業工法のことを意味する。以下では、図１０乃至図１３を参照しつつ、従来の間接活線工法として、クランプ式電流計１０を高圧活線Ａに取り付ける場合を一例に挙げて説明する。
【０００４】
まず、一人の作業者Ｘは、クランプ式電流計１０のロック機構を解除し、ハンドル１２ｃを操作してＣＴクランプ１２ａ、１２ｂを開き、本体１４に軸支されて回動可能なＣＴクランプ１２ｂの方にリング形状をなす絶縁紐４００を絶縁テープ４２０により掛止する（図１０参照）。
【０００５】
つぎに、作業者Ｘが、クランプ式電流計１０を差し込んだ間接活線工具２００を操作して、クランプ式電流計１０を高圧活線Ａに近づける。一方、もう一人の作業者Ｙは、バインド打用工具３００を操作して、バインド打器３２０の先端を絶縁紐４００に引っ掛けてこれを引っ張り、閉じた状態に向けてのばね力の付勢に抗してＣＴクランプ１２ａ、１２ｂを開いた状態にする。
【０００６】
つぎに、２人の作業者Ｘ、Ｙは、当該工具２００、３００を同時移動させて、開いた状態のＣＴクランプ１２ａ、１２ｂに高圧活線Ａを囲繞させる（図１１参照）。かかる状態で、絶縁紐４００からバインド打器３２０を離して引っ張りを停止し、ＣＴクランプ１２ａ、１２ｂを高圧活線Ａに吊り下げる。
【０００７】
つぎに、作業者Ｘが間接活線工具２００によってクランプ式電流計１０を保持した状態で、作業者Ｙは、バインド打器３２０の先端にて、絶縁容器２２０の開口部２２０ａから露出した摺動部１６ａを摺動溝１６ｂに沿って鉛直方向上方に摺動させ（図１２参照）、ＣＴクランプ１２ａ、１２ｂを閉じた状態に固定する。
【０００８】
つぎに、作業者Ｘは、間接活線工具２００を鉛直方向下方に移動し、クランプ式電流計１０から絶縁容器２２０を取り外す（図１３参照）。これにより、高圧活線Ａに対するクランプ式電流計１０の取り付けが完了する。尚、クランプ式電流計１０の取り外しは、取り付けの場合とは逆の作業となる。
【特許文献１】特開２００５−１７２７５２号公報
【発明の開示】
【発明が解決しようとする課題】
【０００９】
上述した作業では、高圧活線にクランプ式電流計を取り付ける際に、一人の作業者がクランプ式電流計を取り付けた間接活線工具を持ちつつ、もう一人の作業者がバインド打用工具等の間接活線工具によってクランプ式電流計のＣＴクランプが開いた状態を維持しながら、取り付ける作業を協同的に行う必要がある。また、高圧活線にクランプ式電流計を取り付けた後、当該クランプ式電流計の脱落防止のためにバインド打用工具等の間接活線工具によって離れた場所からロック機構を動作させる必要がある。これらの作業は、極めて煩雑である。
【００１０】
クランプ式電流計の取り外しの場合も同様に、２名の作業者が協同的に作業を行う必要がある。また、クランプ式電流計を取り付ける際の作業環境如何では、不安定な体勢を強いられる等、２名での作業が危険な場合もあり、ひいては、作業自体を断念せざるを得ない場合もある。
【００１１】
以上のように、従来の電線中に流れる電流計測の際の間接活線工法の場合、２名の作業者による協同的な作業が煩雑であり、また、作業環境如何では安全に作業することや作業自体が困難な場合があった。
【課題を解決するための手段】
【００１２】
前記課題を解決するための発明は、ばね力によって閉じた状態に向けて付勢されるクランプ部を備え、閉じた状態の前記クランプ部に囲繞された高圧活線に流れる電流により、前記クランプ部に誘起される磁場に基づいて電流測定を行うクランプ式電流計を、前記高圧活線に取り付け又は取り外しするクランプ式電流計の保持具において、前記クランプ式電流計を収納する側の面が開口した絶縁容器と、前記クランプ部に挟み込まれることにより前記高圧活線の径以上の空隙を生じさせ、且つ前記高圧活線に押し当てられることにより取り外されるスペーサと、前記絶縁容器を支持する絶縁操作棒と、を備えることとする。
【００１３】
以上のクランプ式電流計の保持具によって、一人の作業者が、一の当該保持具だけを用いて、高圧活線に対するクランプ式電流計の取り付け作業を安全且つ容易に行えるようになる。さらに、一人の作業者が、一の保持具だけを用いて単独で取り付け作業を行えるので、作業面での自由度が増し、作業困難な現場環境であっても安全且つ容易に取り付け作業を行うことができる。
【００１４】
また、クランプ式電流計の保持具において、前記スペーサは、その側面が半月形状に加工された絶縁板であり、当該半月形状の開口部が前記高圧活線の径以上に設定されること、とする。
【００１５】
以上のクランプ式電流計の保持具を用いることで、クランプ部に挟み込まれたスペーサを高圧活線に押し込んだ際に当該スペーサを容易に取り外すことができる。
【００１６】
また、クランプ式電流計の保持具において、前記クランプ式電流計は、前記クランプ部を開閉させるハンドル部と、前記ハンドル部の下に設けられる摺動溝並びに当該摺動溝に沿って摺動可能な突起状の摺動部から成り、当該摺動部が当該摺動溝に沿って当該ハンドル部の下部まで摺動したとき前記クランプ部を閉じた状態に固定するロック機構と、を備えており、前記絶縁容器の側面に固着され、当該絶縁容器に前記クランプ式電流計を保持した際にその先端が前記摺動部の下部に接しており、前記スペーサが取り外された後に前記高圧活線に対して前記絶縁容器が近づくように前記絶縁操作棒が操作されることで前記摺動部を前記ハンドル部の下部まで摺動させるロック板を備えることとする。
【００１７】
以上のクランプ式電流計の保持具を用いることで、高圧活線に対するクランプ式電流計の一連の取り付け作業工程の中で、クランプ部を閉じた状態に固定することもできるので、全体の作業効率が向上する。
【００１８】
また、クランプ式電流計の保持具において、前記ロック板を取り付けた前記絶縁容器の側面とは反対側の側面に固着され、その先端を折り曲げ加工し、前記絶縁容器に前記クランプ式電流計を保持した際に当該先端が前記摺動部の突起部に引っ掛かり、前記高圧活線に対して前記絶縁容器が遠ざかるように前記操作棒が操作されることで、前記摺動部を前記ハンドル部の下部から遠ざかる方向に移動させるロック解除板を備えることとする。
【００１９】
以上のクランプ式電流計の保持具によれば、一人の作業者が、取り付け作業時に用いたものと同じ一の保持具だけを用いて、高圧活線に対するクランプ式電流計の取り外し作業を安全且つ容易に実施できる。また、クランプ部が閉じた状態に固定されている状態を解除する場合、絶縁やっとこ等の別の間接活線工具を用いることなく、取り付け作業時に用いたものと同じ一の保持具だけを用いて行えるので、全体の作業効率が向上する。さらに、一人の作業者が一の保持具によって単独で取り外し作業を行えるので、作業面での自由度が増し、作業困難な現場環境であっても安全且つ容易に取り外し作業を行うことができる。
【発明の効果】
【００２０】
高圧活線に対するクランプ式電流計の取り付け又は取り外し作業を一人の作業者によって一の保持具のみで安全且つ容易に行うことが可能となる。
【発明を実施するための最良の形態】
【００２１】
＝＝＝クランプ式電流計の構成＝＝＝
図１を参照しつつ、本実施形態のクランプ式電流計の取り付け又は取り外しの適用対象であるクランプ式電流計１０の構成について説明する。尚、以下の説明では、従来の構成要素と同様のものについて同一の符号を付する。
【００２２】
図１における正面外観にて示されるように、本実施形態のクランプ式電流計１０は、主として、一対のＣＴクランプ（本発明に係るクランプ部）１２ａ、１２ｂと、本体１４と、から構成される。一方のＣＴクランプ１２ａ（図１中左側）は、本体１４に固定されており、他方のＣＴクランプ１２ｂ（図１中右側）は、本体１４に軸支されて図１中左側のＣＴクランプ１２ａに対して開閉可能となっている。かかる開閉を手動で行う場合、ＣＴクランプ１２ｂの端部に一体に設けられたハンドル１２ｃを操作する。ＣＴクランプ１２ｂは、ＣＴクランプ１２ａに対して常時閉じた状態となるように、ばね力によって閉じた状態に向けて付勢される。
【００２３】
また、図１における本体１４の右側面には、ＣＴクランプ１２ｂに対するロック機構１６が設けられる。ロック機構１６は、突起部１６ｃを具備した摺動部１６ａと、本体１４側面にて当該摺動部１６ａを図１中上下方向に摺動可能とする摺動溝１６ｂと、により構成される。摺動部１６ａが摺動溝１６ｂにおいて図１中上部に設定されていれば、当該摺動部１６ａによりハンドル１２ｃが係止されたＣＴクランプ１２ｂは、ＣＴクランプ１２ａに対して閉じた状態を保ったまま固定される。一方、この摺動部１６ａが摺動溝１６ｂにおいて図１中下部に設定されれば、ハンドル１２ｃは本体１４に軸支されて回動し、ばね付勢に抗してＣＴクランプ１２ａ、１２ｂ同士を開くことが可能となる。
【００２４】
尚、本実施形態のクランプ式電流計１０は、高圧活線Ａを中心とし、当該高圧活線Ａの周りに発生する磁場の強度から、当該高圧活線Ａに流れる電流値を測定して記録するメモリカード式クランプ式電流計とする。つまり、一対のＣＴクランプ１２ａ、１２ｂ内に発生する磁場の強度を計測すべく、当該ＣＴクランプ１２ａ、１２ｂは、例えばコイル（不図示）が適宜巻回されたコア（不図示）等から形成されている。
【００２５】
＝＝＝間接活線工具の構成＝＝＝
図２を参照しつつ、本実施形態のクランプ式電流計の取り付け又は取り外し作業に用いる間接活線工具（本発明に係る保持具）２０の構成について説明する。同図に示されるように、間接活線工具２０は、主として、クランプ式電流計１０を収納するための絶縁容器２２と、当該絶縁容器２０を支持するとともにその一端部にて着脱可能な絶縁操作棒２４と、から構成されている。
【００２６】
絶縁容器２２は、略直方体形状を成して電気的絶縁性を有するプラスチック製ケースであって、クランプ式電流計１０を収納する側の面を開口させた開口部２２ａを有するものである。絶縁容器２２に収納されたクランプ式電流計１０のＣＴクランプ１２ａ、１２ｂは、開口部２２ａから露出するようになっている。尚、絶縁容器２２の内周側の側面には、クランプ式電流計１０を収納した際にクランプ式電流計１０ががたつくことを防止すべく、クッション材を貼付する方が好ましい。
【００２７】
絶縁容器２２の一方の側面には、収容したクランプ式電流計１０の摺動溝１６ｂに沿って摺動部１６ａを上下方向に摺動させるためのロック用絶縁板２６を取り付けている。ロック用絶縁板２６は、クランプ式電流計１０を高圧活線Ａに取り付ける際、ＣＴクランプ１２ａ、１２ｂを閉じた状態に固定する、即ちロックを掛けるためのものである。クランプ式電流計１０の具体的な取り付け作業の内容については後述する。
【００２８】
絶縁容器２２の前記一方の側面とは反対側の他方の側面には、一方の先端をＵ字状に折り曲げたＵ字部２８１を具備するロック解除用絶縁板２８を備える。ロック解除用絶縁板２８のＵ字部２８１は、収容したクランプ式電流計１０の摺動部１６ａの突起部１６ｃに引っ掛けることが可能であり、かつ、摺動部１６ａを上下方向に摺動させることが可能な曲率且つ強度を有する。クランプ式電流計１０の具体的な取り外し作業の内容については後述する。
【００２９】
絶縁容器２２の周囲に絶縁バンド２７１を固着しており、当該絶縁バンド２７１に対して絶縁紐２７２の一端側を括り付ける。また、絶縁紐２７２の他端には絶縁リング２７３を括り付け、当該絶縁リング２７３にスペーサ２７を取り付ける。絶縁紐２７２は、スペーサ２７の落下防止用として機能する。尚、ＣＴクランプ１２ａ、１２ｂが閉じた後、スペーサ２７がクランプ式電流計１０に絡む等よって計測作業に支障が生じないようにする必要がある。このため、スペーサ２７をＣＴクランプ１２ａ、１２ｂに挟み込む際に絶縁紐２７２が緩まない程度に、絶縁紐２７２の長さを調整しておくことが望ましい。
【００３０】
スペーサ２７は、ＣＴクランプ１２ａ、１２ｂを閉じた状態に向けて付勢するばね力に抗してＣＴクランプ１２ａ、１２ｂを開いた状態にするための絶縁材料（塩化ビニル製パイプ等）から成る部材である。本実施形態のスペーサ２７は、取り付け作業の中でスペーサ２７を高圧活線Ａに押し込んだ際に、スペーサを容易に除去するために、その側面を半月形状（又はＣ字形状）にしている。スペーサ２７は、図３に示すように、ＣＴクランプ１２ａ、１２ｂの間に挟み込むことによって、ＣＴクランプ１２ａ、１２ｂを開いた状態にする。従って、スペーサ２７は、ＣＴクランプ１２ａ、１２ｂを開いて且つ高圧活線Ａの径以上の空隙を作り出すための長さが必要である。即ち、スペーサ２７の半月形状の開口部が、高圧活線Ａの径以上の長さを必要とする。
【００３１】
絶縁操作棒２４は、その先端が、絶縁容器２２の底部外面に設けられた電気的絶縁性を有するプラスチック製筒及びステンレス製キャップからなるアダプタ２２ｃと互いに脱着可能となっている。尚、本実施形態のアダプタ２２ｃ及び絶縁操作棒２４は、広く製品化された間接活線工具と同様の構成であってよい。
【００３２】
＝＝＝クランプ式電流計の取り付け又は取り外し＝＝＝
＜＜＜取り付け作業＞＞＞
図４乃至図６を参照しつつ、本実施形態におけるクランプ式電流計１０を高圧活線Ａに取り付けるための作業工程について以下説明する。
【００３３】
一人の作業者Ｘが、間接活線工具（保持具）２０の絶縁容器２２にクランプ式電流計１０を収納する。
【００３４】
つぎに、作業者Ｘは、クランプ式電流計１０のロック機構１６を手動で解除し、ハンドル１２ｃを操作してＣＴクランプ１２ａ、１２ｂを開く。そして、スペーサ２７をＣＴクランプ１２ａ、１２ｂの間に挟み込む（図４参照）。これにより、ＣＴクランプ１２ａ、１２ｂの間には、高圧活線Ａの径以上の空隙が生まれる。
【００３５】
尚、この場合、ハンドル１２ｃの位置が図４中の下方向に下がっていることに伴って、摺動部１６ａは、ハンドル１２ｃと干渉して、摺動溝１６ｂに沿って図４中の上方向に押し上げることができない。即ち、ＣＴクランプ１２ａ、１２ｂが開いている場合、ロックが掛からない状態となっている（図５参照）。
【００３６】
つぎに、作業者Ｘは、間接活線工具２０の絶縁操作棒２４を操作してクランプ式電流計１０を高圧活線Ａに近づける。そして、スペーサ２７によって開いた状態のＣＴクランプ１２ａ、１２ｂに生じた空隙より高圧活線Ａを挿入させる。
【００３７】
つぎに、作業者Ｘは、スペーサ２７の半月形の湾曲部を高圧活線Ａに押し当てることによって、ＣＴクランプ１２ａ、１２ｂ間に挟み込まれたスペーサ２７が取り外される。この結果、ばね力による付勢によって、ＣＴクランプ１２ａ、１２ｂが閉じた状態となる。即ち、高圧活線ＡがＣＴクランプ１２ａ、１２ｂに完全に囲繞して、クランプ式電流計１０が高圧活線Ａに吊り下がった状態となる（図６参照）。
【００３８】
すると、ＣＴクランプ１２ａ、１２ｂが閉じたことにより、ハンドル１２ｃの位置が図６中の上方向に上がるので、ハンドル１２ｃに干渉せずに、摺動部１６ａを摺動溝１６ｂに沿って図６中の上方向に押し上げることが可能な状態となる。そこで、作業者Ｘは、高圧活線Ａに対して絶縁容器２２が近づくように絶縁操作棒２４が操作されると、摺動部１６ａがロック用絶縁板２６により押し上げられることによって摺動溝１６ｂにおける図６中の上方向の箇所（ハンドル１２ｃの下）に設定される。即ち、ＣＴクランプ１２ａ、１２ｂが、閉じた状態に固定され、ロックが完了する。
【００３９】
つぎに、作業者Ｘは、高圧活線Ａに対して絶縁容器２２が遠ざかるように絶縁操作棒２４を操作することで、高圧活線Ａに吊り下がったクランプ式電流計１０から絶縁容器２２を取り外す。これにより、クランプ式電流計１０の取り付け作業が完了し、クランプ式電流計による高圧活線Ａの電流計測が可能となる。
【００４０】
以上の本実施形態によれば、一人の作業者が、一の間接活線工具２０を用いて、高圧活線Ａに対するクランプ式電流計１０の取り付け作業を安全且つ容易に行えるようになる。また、高圧活線Ａに対するクランプ式電流計１０の一連の取り付け作業工程の中で、ＣＴクランプ１２ａ、１２ｂのロックも行えるので、全体の作業効率が向上する。さらに、一人の作業者が一の間接活線工具２０を用いて単独で取り付け作業を行えるので、作業面での自由度が増し、作業困難な現場環境であっても安全且つ容易に取り付け作業を行うことができる。
【００４１】
＜＜＜取り外し作業＞＞＞
図７乃至図９を参照しつつ、本実施形態における、クランプ式電流計１０を高圧活線Ａから取り外すための作業工程について以下説明する。尚、取り外し作業は取り付け作業の略逆順である。
【００４２】
作業者Ｘは、間接活線工具２０を鉛直方向上方に移動して、絶縁容器２２にクランプ式電流計１０を収納する。尚、クランプ式電流計１０の摺動部１６ａに対して、取り付け作業時のロック用絶縁板２６とは反対側のロック解除用絶縁板２８が同じ側となるように（つまり、取り付け時とは逆向きになるように）収納する。そして、作業者Ｘは、ロック解除用絶縁板２８の先端を折り曲げ加工したＵ字部２８１が摺動部１６ａの突起部１６ｃに引っ掛かっていることを確認する。尚、摺動部１６ａの突起部１６ｃは、ハンドル１２ｃの下に位置しており、ロックがかかった状態である（図７参照）。
【００４３】
つぎに、作業者Ｘは、高圧活線Ａに対して絶縁容器２２が遠ざかるように絶縁操作棒２４を操作する。すると、突起部１６ｃが、ロック解除用絶縁板２８によって、摺動溝１６ｂに沿って下向きに押し下げられる（図８参照）。この結果、ＣＴクランプ１２ａ、１２ｂの閉じた状態の固定が解除されて、ＣＴクランプ１２ａ、１２ｂを開くことが可能な状態となる。しかし、ロックが解除されたに過ぎず、ＣＴクランプ１２ａ、１２ｂは未だ高圧活線Ａに吊り下った状態を維持する。
【００４４】
つぎに、作業者Ｘは、高圧活線Ａに対して絶縁容器２２が更に遠ざかるように絶縁操作棒２４を操作する。すると、ばね力の付勢に抗してＣＴクランプ１２ａ、１２ｂが開き、ＣＴクランプ１２ａ、１２ｂを高圧活線Ａから離間させることができる（図９参照）。
【００４５】
以上の本実施形態によれば、一人の作業者が、取り付け作業時に用いたのと同じ一の間接活線工具２０を用いて、高圧活線Ａに対するクランプ式電流計１０の取り外し作業を安全且つ容易に実施できる。また、ＣＴクランプ１２ａ、１２ｂのロック解除を、絶縁やっとこ等のその他の間接活線工具を用いることなく、一の間接活線工具２０のみで行うことができるので、全体の作業効率が向上する。さらに、一人の作業者が一の間接活線工具２０によって単独で取り外し作業を行えるので、作業面での自由度が増し、作業困難な現場環境であっても安全且つ容易に取り外し作業を行うことができる。
【００４６】
前述した実施の形態は、本発明の理解を容易にするためのものであり、本発明を限定して解釈するためのものではない。本発明は、その趣旨を逸脱することなく変更、改良されるとともに、本発明にはその等価物も含まれる。
【図面の簡単な説明】
【００４７】
【図１】本実施形態のクランプ式電流計の正面外観図である。
【図２】本実施形態の間接活線工具の斜視図である。
【図３】本実施形態のクランプ式電流計のＣＴクランプにスペーサを挟み込んだときの形態を示す図である。
【図４】本実施形態のクランプ式電流計の取り付け作業の１ステップを示す外観図である。
【図５】本実施形態のクランプ式電流計の取り付け作業の１ステップを示すもう一つの外観図である。
【図６】本実施形態のクランプ式電流計の取り付け作業の１ステップを示す更にもう一つの外観図である。
【図７】本実施形態のクランプ式電流計の取り外し作業の１ステップを示す外観図である。
【図８】本実施形態のクランプ式電流計の取り外し作業の１ステップを示すもう一つの外観図である。
【図９】本実施形態のクランプ式電流計の取り外し作業の１ステップを示す更にもう一つの外観図である。
【図１０】従来のクランプ式電流計の取り付け作業の１ステップを示す外観図である。
【図１１】従来のクランプ式電流計の取り付け作業の１ステップを示すもう一つの外観図である。
【図１２】従来のクランプ式電流計の取り付け作業の１ステップを示す更にもう一つの外観図である。
【図１３】従来のクランプ式電流計の取り付け作業の１ステップを示す更にもう一つの外観図である。
【符号の説明】
【００４８】
１０  クランプ式電流計
１２ａ、１２ｂ  ＣＴクランプ
１２ｃ  ハンドル
１４  本体
１６  ロック機構
１６ａ  摺動部
１６ｂ  摺動溝
１６ｃ  突起部
２０、２００  間接活線工具
２２、２２０  絶縁容器
２２ａ、２２０ａ  開口部
２４  絶縁操作棒
２６  ロック用絶縁板
２７１  絶縁バンド
２７２、４００  絶縁紐
２７３  絶縁リング
２８  ロック解除用絶縁板
２８１  Ｕ字部
３００  バインド打用工具
３２０  バインド打器
４２０  絶縁テープ
【図１】
2009118586.tif 000003
【図２】
2009118586.tif 000004
【図３】
2009118586.tif 000005
【図４】
2009118586.tif 000006
【図５】
2009118586.tif 000007
【図６】
2009118586.tif 000008
【図７】
2009118586.tif 000009
【図８】
2009118586.tif 000010
【図９】
2009118586.tif 000011
【図１０】
2009118586.tif 000012
【図１１】
2009118586.tif 000013
【図１２】
2009118586.tif 000014
【図１３】
2009118586.tif 000015